(57)【要約】      （修正有）【課題】排気棟の通気性と排水性を確保して、耐久性に富んだ棟構造を提供する。【解決手段】屋根頂部の棟構造であって、屋根基材の頂部の要所に通気口を設け、その上に換気棟用台材を固定し、さらにその上から前記換気棟用台材を包む形状の棟部材を載置してなる換気棟構造において、前記換気棟用台材が、屋根の頂部において前記屋根基材から浮いた状態で前記屋根基材と平行に延在する頂部支持台と、頂部支持台の下端部から延在し前記屋根基材に接地して前記頂部支持台を支持する脚部と、前記脚部の下端部から延在し開口部が下側を向いたコの字形状の側部支持台と、前記脚部上部および側部支持台の両肩部に設けられた通気口とを具えるとともに、前記棟部材が、前記換気棟用台材における側部支持台の肩部通気口に対応する位置に通気口を有する。【選択図】図２
0003103176.tif 000002
【実用新案登録請求の範囲】
【請求項１】
屋根基材の頂部に通気口が設けられた換気棟において棟を包む棟部材を支持する台材であって、屋根の頂部において前記屋根基材から浮いた状態で前記屋根基材とほぼ平行に延在する頂部支持台と、頂部支持台の下端部から延在し前記屋根基材に接地して前記頂部支持台を支持する脚部と、前記脚部の下端部から延在し開口部が下側を向いたコの字形状の側部支持台とを具え、前記脚部の上部および前記側部支持台の両側の肩部に通気口が設けられていることを特徴とする換気棟用台材。
【請求項２】
請求項１に記載の換気棟用台材において、前記脚部と前記側部支持台との連接部に水抜き穴が設けられていることを特徴とする換気棟用台材。
【請求項３】
請求項１または２に記載の換気棟用台材において、前記側部支持台の下側端部が、前記屋根基材より上の位置で内側に折り返されていることを特徴とする換気棟用台材。
【請求項４】
請求項１乃至３のいずれかに記載の換気棟用台材において、前記脚部の通気口と、前記側部支持台の両肩部の通気口は、屋根の傾斜方向において互い違いに配置されていることを特徴とする換気棟用台材。
【請求項５】
請求項１乃至４のいずれかに記載の換気棟用台材が、一枚の板状部材を複数回曲折して構成されることを特徴とする換気棟用台材。
【請求項６】
屋根頂部の棟構造であって、屋根基材の頂部要所に通気口を設け、その上に換気棟用台材を固定し、さらにその上から前記換気棟用台材を包む形状の棟部材を載置してなる換気棟構造において、
前記換気棟用台材が、屋根の頂部において前記屋根基材から浮いた状態で前記屋根基材と平行に延在する頂部支持台と、頂部支持台の下端部から延在し前記屋根基材に接地して前記頂部支持台を支持する脚部と、前記脚部の下端部から延在し開口部が下側を向いたコの字形状の側部支持台と、前記脚部上部および側部支持台の両肩部に設けられた通気口とを具えるとともに、
前記棟部材が、前記換気棟用台材における側部支持台の肩部通気口に対応する位置に通気口を有することを特徴とする換気棟構造。
【請求項７】
請求項６に記載の換気棟構造において、前記台材における前記脚部と側部支持台との連接部に水抜き穴が設けられていることを特徴とする換気棟構造。
【考案の詳細な説明】
【技術分野】
【０００１】
本考案は、換気棟用台材および換気棟構造に関し、特に、屋根頂部の通気性を確保して湿気がこもらないようにした換気棟構造およびこれを実現する換気棟用台材に関する。
【背景技術】
【０００２】
この種の従来技術として、例えば特許文献１に開示された棟構造がある。この棟構造では、中央と左右側端とに山形部を形成した棟カバー受け部材を棟に固定し、その上から棟カバー材を載置固定する。棟カバー受け部材の中央山形部の斜面には通気開口部が設けられている。
【０００３】
しかしながら、特許文献１の棟構造では、棟カバー受け部材において左右の山形部外側には通気開口部が設けられていないため、棟中央に入り込んだ湿気が十分に外部に排出されないという問題がある。また、棟カバー部材にも通気口が設けられておらず、全体として通気性に対する配慮に欠けるものである。さらに、谷形部に入り込んだ雨水を排出する手段がなく、この部分に水分が溜まって黴び、木材の腐敗、棟構造の脆弱化などの問題を引き起こす可能性がある。
【特許文献１】特開平９−２２８５６９号公報
【考案の開示】
【考案が解決しようとする課題】
【０００４】
解決しようとする問題点は、棟の頂部から出る湿気をうまく棟の外部に排出できないことと、部材間の毛細管現象などによって入り込む雨水をうまく棟構造の外部に排出できない点にある。
【課題を解決するための手段】
【０００５】
本考案は、換気棟の通気性と排水性を確保して、耐久性に富んだ棟構造を提供することを目的とする。
【０００６】
本考案に係る換気棟用台材は、屋根基材の頂部に通気口が設けられた換気棟において棟を包む棟部材を支持する台材であって、屋根の頂部において前記屋根基材から浮いた状態で前記屋根基材と平行に延在する頂部支持台と、頂部支持台の下端部から延在し前記屋根基材に接地して前記頂部支持台を支持する脚部と、前記脚部の下端部から延在し開口部が下側を向いたコの字形状の側部支持台とを具え、前記脚部の上部および前記側部支持台の両肩部に通気口が設けられていることを最も主要な特徴とする。
【０００７】
この換気棟用台材において、前記脚部と前記側部支持台との連接部に水抜き穴が設けられていることが有効である。
【０００８】
この換気棟用台材において、前記側部支持台の下側端部が、前記屋根基材より上の位置で内側に折り返されていることが有効である。
【０００９】
この換気棟用台材において、前記脚部の通気口と、前記側部支持台の両肩部の通気口は、屋根の斜面方向において互い違いに配置されていることが有効である。
【００１０】
この換気棟用台材は一枚の板状部材を複数回曲折して構成することができる。
【００１１】
本考案に係る換気棟構造は、屋根頂部の棟構造であって、屋根基材の頂部の要所に通気口を設け、その上に換気棟用台材を固定し、さらにその上から前記換気棟用台材を包む形状の棟部材を載置してなる換気棟構造において、
前記換気棟用台材が、屋根の頂部において前記屋根基材から浮いた状態で前記屋根基材と平行に延在する頂部支持台と、頂部支持台の下端部から延在し前記屋根基材に接地して前記頂部支持台を支持する脚部と、前記脚部の下端部から延在し開口部が下側を向いたコの字形状の側部支持台と、前記脚部上部および側部支持台の両肩部に設けられた通気口とを具えるとともに、
前記棟部材が、前記換気棟用台材における側部支持台の肩部通気口に対応する位置に通気口を有することを特徴とする。
【００１２】
この換気棟構造において、前記台材における前記脚部と側部支持台との連接部に水抜き穴が設けられていることが有効である。
【考案の効果】
【００１３】
本考案の換気棟用台材は、屋根の頂部において頂部支持台を屋根基材から浮かせて配置したため、屋根基材頂部に設けられた通気口を塞いでしまうことがない。また、脚部上部および側部支持台の両肩部に通気口を設けているため、屋根基材の通気口から外部まで空気の通路が確保される。さらに、脚部と側部支持台との連接部に水抜き穴を設けているため、毛細管現象等で脚部に雨水が入り込んでもすぐに排出される。以上より換気性に優れ耐久性に富んだ換気棟構造を提供できるという利点がある。
【考案を実施するための最良の形態】
【００１４】
本考案を実施するための最良の形態を、添付の図面を参照しながら以下に詳細に説明する。
【実施例１】
【００１５】
図１は、本考案の実施形態にかかる換気棟用台材の構成を示す図である。図１に示す台材１は、両側に勾配のある棟の頂部に配置されるものであり、左右対称に構成されている。図１に示すように、台材１は板状部材を複数回曲折させて形成され、屋根の頂部において屋根基材から浮いた状態で前記屋根基材と平行に延在する対の頂部支持台１１と、頂部支持台１１の両側下端部から延在し屋根基材に接地して記頂部支持台１１を支持する対の脚部１２と、各脚部１２の下端部から延在し開口部が下側を向いたコの字形状の側部支持台１３とを具える。
【００１６】
頂部支持台１１と側部支持台１３とは屋根基材に対して同じ高さに構成される。頂部支持台１１の裏面には結露防止シート１１ａが設けられ、脚部１２の裏面には防水シーラー１２ａが設けられている。側部支持台１３の下側端部は屋根基材より少し上の位置で内側に折り返されている。これは上に載置される棟部材（棟包み）や屋根基材との間で毛細管現象により雨水を吸い上げないように、雨水の延在する屋根基材と接触しないように配慮したものである。
【００１７】
脚部１２の上部および側部支持台１３の両肩部には通気口１４が設けられている。図１に示すように、屋根頂部から近い通気口の部位ごとに１４ａ〜１４ｃとすると、隣接する通気口１４ａと１４ｂ、通気口１４ｂと１４ｃは互い違いに配置されている。これにより、風で吹き付けられた雨水が直線的に通気口１４ｃ、１４ｂ、１４ａと通過して棟の中央に入り込むのが防止される。
【００１８】
脚部１２と側部支持台１３の連接部には、一定間隔で水抜き穴１５が設けられている。これにより、毛細管現象などの原因で脚部１２の上側に入り込んだ雨水をそのまま排出することができる。なお、上述のように側部支持台１３の下側端部は屋根基材より少し上の位置までしか延在していないので、排出される水を遮ったりすることがない。
【００１９】
換気棟用台材１は酸化しにくい板状金属部材、例えばステンレススチール等を複数回折り曲げて形成することができる。ただし、換気棟用台材は所定の強度を保有し経年劣化が少ない素材であれば他の素材、例えばプラスチック樹脂などで成形してもよい。
【００２０】
図２は、本考案に係る換気棟構造に用いる棟部材（棟包み）の構成を示す図である。図２に示すように、棟部材２は上述の換気棟用台材１を包む寸法形状に形成されている。すなわち、台材１の頂部支持台１１から側部支持台１３の先まで延在する対の斜面部２１と、台材１の側部支持台１３の端面に沿って屋根基材に接地する脚部２２とを具えている。図２に示すように、脚部２２には一定間隔で横窓２３が設けられており、この横窓２３は台材１の側部支持台１３に設けた外側の通気口１４ｃと同じ間隔で設けられており、棟部材２を台材１に載置したときにこれら横窓２３と通気口１４ｃが重なるように構成する。なお、図２に示すように、横窓２３は雨が入り込まないように下側に向けて開口している。
【００２１】
図３は、本実施例に係る換気棟構造を組み立てたときの構成を示す断面図である。図３に示すように、屋根基材３１の頂部には通気口３２が設けられており、ここから屋根基材内部が換気されるようになっている。なお、本明細書で屋根基材とは、屋根の頂部の野地板およびその上に設けられるスレートや平板瓦等を含む概念とする。この上に換気棟用台材１を載せて固定する。前述のとおり台材１の頂部支持台１の裏面には結露防止シート１１ａが張られているため、この部分が結露して屋根の内部に水滴が落ちるようなことがない。また、台材１が屋根基材３１と接地する脚部１２の裏面には防水紙ーラー１２ａが設けられているため、屋根の下流側から吹き付けられた雨水が屋根頂部に入り込むようなこともない。
【００２２】
換気棟用台材１の上から、棟部材２を載置して固定する。なお、台材１や棟部材２の固定には適宜の場所に釘打ちまたはスクリュネジなどを用いる。上記のように棟部材２の横窓２３が台材１の最も外側の通気口１４ｃと重なるように配置する。これにより、屋根頂部の通気口３２から空気を外部に導く棟部材の通気口２３とが連続し、効率のよい棟の換気を達成することができる。また、換気棟用台材１は頂部支持台１１と側部支持台１３とで棟部材２を支える構成であるため、強固かつ確実に棟部材を固定しておくことができる。また、軽量な素材および構成であるため、棟の負担を少なくして寿命を延ばすことができる。
【実施例２】
【００２３】
図４は、本願第２実施例に係る換気棟構造の構成を示す分解斜視図である。図４（ａ）が棟部材（雨おさえ）を示し、図４（ｂ）が換気棟用台材を示し、図４（ｃ）が屋根基材の野地板部分を示す。図４に示す第２実施例は、図１〜図３に示すような両側勾配の屋根（例えば切妻屋根）ではなく、壁面の途中から屋根が延びる所謂ふき詰め部と呼ばれる部位の換気棟構造である。図４（ｃ）に示すように、屋根基材４１が壁面４２との連接部には所定間隔で通気口４３が設けられており、屋根内部の湿気が排出されるよう構成されている。通気口４３には虫などが入り込まないようにフィルタ４４が張られる。
【００２４】
図４（ｂ）に示すように、ふき詰め部に用いられる換気棟用台材５は、図１に示す台材１を左右対称でなく半分にした形状を有し、さらに頂部支持台５１の上端部から上側に延びる接壁部５５を有する。頂部支持台５１から接壁部５５にかけて裏側に結露防止シート５６が延在している。その他の脚部、通気口、水抜き穴などの構成は図１に示す台材１と同様である。
【００２５】
図４（ａ）に示すように、ふき詰め部に用いられる棟部材６は、図２に示す棟部材２を半分にした形状を有し、さらに斜面部６１の上端部から上側に延びる接壁部６２を有する。この棟部材６も、台材５の通気口に対応する位置に通気口６３を具えている。
【００２６】
図４に示すふき詰め部の換気棟構造は、図４（ｃ）に示す屋根基材の頂部に彩色スレート、金属スレート、平板瓦などを配置し、その上から図４（ｂ）に示す換気棟用台材５を固定し、さらにその上から図４（ａ）に示す棟部材６を載置して固定する。この場合、屋根基材４１に設けた通気口４３に対応するスレートや平板瓦の部分にも穴を設けるとよい。これにより、屋根基材に設けた通気口４３から棟部材６の通気口６２への連続性が確保され、屋根内部の湿気を外部に放出することができる。また、棟部材６の通気口６２は下側へ向けて設けられており、また台材５の通気口は互い違いに設けられているため、屋根に吹き付ける雨が屋根の内部に入ってしまうことがない。また、台材５の脚部の上側に雨水が入り込むことがあっても水抜き穴から排出されるため、水分が溜まって腐敗したり崩落したりするおそれがない。
【００２７】
以上、本考案の実施例について詳細に説明したが、本考案の技術的範囲は上記実施例に限られるものではなく、本考案は様々な実施例として実現することができる。
【産業上の利用可能性】
【００２８】
本考案は、屋根の湿気を確実に放出して強固かつ耐久性のよい棟構造を提供するものであり、両側勾配の屋根や片側勾配の屋根の頂部を乾式工法で仕上げる際に利用することができる。
【図面の簡単な説明】
【００２９】
【図１】換気棟用台材の構成を示す斜視図である。（実施例１）
【図２】棟部材の構成を示す斜視図である。（実施例１）
【図３】棟部材用台材と棟部材の構成を示す断面斜視図である。（実施例１）
【図４】換気棟構造の雨おさえの構成を示す分解斜視図である。（実施例２）
【符号の説明】
【００３０】
１，５    換気棟用台材
２，６    棟部材
１１  頂部支持台
１１ａ  結露防止シート
１２  脚部
１２ａ  防水シーラー
１３、６３  側部支持台
１４  通気口
１５  水抜き穴
２３  通気口
３１  屋根基材
３３  通気口
【図１】
0003103176.tif 000003
【図２】
0003103176.tif 000004
【図３】
0003103176.tif 000005
【図４】
0003103176.tif 000006